(57)【要約】【課題】  正当に処理されたＲＦＩＤラベルにのみ正当に印字処理することが可能なＲＦＩＤラベル印字システムを提供する。【解決手段】  連続した剥離紙に仮着されたＲＦＩＤタグおよびラベルからなるラベル連続紙をラベル供給部２０に供給すると、エンコード情報読取部３０がラベル連続紙のＲＦＩＤタグに記録されたエンコード情報を読み取る。続いて、比較処理部４０が、エンコード情報読取部３０が読み取ったエンコード情報と、事前に登録コード記憶部１０に登録された登録コードとを比較し、比較の結果、エンコード情報と登録コードが一致する場合にのみ、ラベル供給部２０と印字部５０が正当に印字プロセスを実行する。【選択図】  図２
2008112365.tif 000002
【特許請求の範囲】
【請求項１】
連続した剥離紙に仮着されたＲＦＩＤタグおよびラベル基体からなるラベル連続紙に印字を行うシステムであって、
前記ラベル連続紙のＲＦＩＤタグに記録されたエンコード情報を読み取る手段と、
前記読み取ったエンコード情報と、事前に登録された登録コードとを比較する手段と、
前記比較の結果、エンコード情報と登録コードが一致する場合に、正当な印字プロセスを実行し、前記エンコード情報と登録コードが一致しない場合に、正当な印字プロセスを実行しない印字処理手段と、
を有することを特徴とするＲＦＩＤラベル印字システム。
【請求項２】
前記印字処理手段は、前記エンコード情報と登録コードが一致しない場合に、印字せず、ラベル連続紙を所定ラベル数分紙送りする処理を行うものであることを特徴とする請求項１に記載のＲＦＩＤラベル印字システム。
【発明の詳細な説明】
【技術分野】
【０００１】
本発明は、ＲＦＩＤタグを付したラベルの印字システムに関し、特に、正当に処理されたラベルにのみ印字することを可能とする印字システムに関する。
【背景技術】
【０００２】
従来より、ＲＦＩＤタグ（「非接触ＩＣタグ」、「非接触データキャリア」、「無線ＩＣタグ」、「非接触ＩＣ」などとも呼ばれる。）を全数のラベルに貼着したＲＦＩＤラベルが利用されている。このＲＦＩＤラベルは、各ラベル単位で切り離し可能な連続した剥離紙に剥離可能に貼着された状態で、ＲＦＩＤラベル用のプリンタに給紙され、各ラベル上に所定の印字がなされるようになっている（例えば、特許文献１参照）。
【特許文献１】特開２００２−２０７９８４号公報
【発明の開示】
【発明が解決しようとする課題】
【０００３】
上記ＲＦＩＤラベル用のプリンタは、ＲＦＩＤラベルに適した用紙に対して印字するのに最適なように製造されている。しかし、質の悪い用紙を利用すると、印字品質が悪化したり、プリンタ自体の製品寿命に影響する等の問題があり、品質の高い用紙のみを利用可能とすることが望まれていた。
【０００４】
そこで、本発明は、正当に処理されたＲＦＩＤラベルにのみ正当に印字処理することが可能なＲＦＩＤラベル印字システムを提供することを課題とする。
【課題を解決するための手段】
【０００５】
上記課題を解決するため、本発明では、連続した剥離紙に仮着されたＲＦＩＤタグおよびラベル基体からなるラベル連続紙に印字を行うシステムであって、前記ラベル連続紙のＲＦＩＤタグに記録されたエンコード情報を読み取る手段と、前記読み取ったエンコード情報と、事前に登録された登録コードとを比較する手段と、前記比較の結果、エンコード情報と登録コードが一致する場合に、正当な印字プロセスを実行し、前記エンコード情報と登録コードが一致しない場合に、正当な印字プロセスを実行しない印字処理手段を有するＲＦＩＤラベル印字システムを提供する。
【発明の効果】
【０００６】
本発明によれば、ラベル連続紙のＲＦＩＤに記録されたエンコード情報を読み取り、事前に登録された登録コードとエンコード情報が一致する場合にのみ、正当な印字処理を行うようにしたので、ラベル連続紙のＲＦＩＤに、登録コードと同一のエンコード情報を登録する処理をしておくことにより、正当なラベル連続紙にのみ正当な印字処理を行うことが可能となるという効果を奏する。
【発明を実施するための最良の形態】
【０００７】
以下、本発明の好適な実施形態について、図面を参照して詳細に説明する。
まず、本発明で用いるラベル連続紙について説明しておく。図１に、ラベル連続紙の一例を示す。図１（ａ）はラベル連続紙の平面図、図１（ｂ）はラベル連続紙のうちの１枚の断面図である。図１（ａ）の例では、ＲＦＩＤラベルが３枚連続しているラベル連続紙について示しているが、実際には、さらに多数のＲＦＩＤラベルが連続してラベル連続紙を形成している。図１において、１はＲＦＩＤラベル、２はラベル基体、３は粘着剤、４は剥離紙、５は可視表示部、６はＲＦＩＤタグ、７は切り離し部である。
【０００８】
ＲＦＩＤラベル１は、図１に示すように、粘着剤３によりラベル基体２とともにＲＦＩＤタグ６が剥離紙４上に貼着されたものである。図１の例では、印字システムによる印字後の状態を示しているため、ラベル基体２の上には、可視表示部５が印字されている。図１（ａ）に示すように、ラベル連続紙は、連続する剥離紙４の切り離し部７により、各ＲＦＩＤラベル単位で切り離しが可能となっている。切り離し部７としては、例えば、ミシン目をいれておくことができる。
【０００９】
図２は、本発明に係るＲＦＩＤラベル印字システムの機能ブロック図である。図２においては、本発明のＲＦＩＤラベル印字システムの特徴的な構成要素のみを示しており、公知のＲＦＩＤラベル印字システムと同一の構成要素については、省略してある。図２において、１０は登録コード記憶部、２０はラベル供給部、３０はエンコード情報読取部、４０は比較処理部、５０は印字部である。
【００１０】
登録コード記憶部１０は、登録コードを記憶した記憶手段であり、ＲＦＩＤラベル印字システムに内蔵されたメモリに、所定の記憶領域を確保しておくことにより実現される。登録コード記憶部１０への登録コードの記録は、書き換えができないようにＲＦＩＤラベル印字システムの製造時に行う。ラベル供給部２０は、連続するＲＦＩＤラベル連続紙の紙送りを行うものであり、その機構自体は、公知のラベル供給部と同一であるので詳細な説明は省略する。エンコード情報読取部３０は、ラベル供給部２０に供給されたラベルに付加されたＲＦＩＤタグからエンコード情報を読み取る機能を有している。ＲＦＩＤタグからエンコード情報を読み取る方式としては、公知の無線通信方式を用いることができるが、本実施形態では、その通信周波数帯を１３．５６ＭＨｚとする電磁誘導方式の無線通信により行う。
【００１１】
比較処理部４０は、エンコード情報読取部３０がＲＦＩＤタグから読み取ったエンコード情報と、登録コード記憶部１０に記録された登録コードが一致しているかどうかの比較処理を行うとともに、比較結果に基づいて、ラベル供給部２０および印字部５０に指示を行う機能を有している。印字部５０は、ＲＦＩＤラベル連続紙上の各ラベルに所定の印字を行うものであり、その機構自体は、公知の印字部と同一であるので詳細な説明は省略する。ラベル供給部２０と印字部５０は比較処理部４０の指示に従い、互いに連携して、印字処理手段として機能する。
【００１２】
次に、図２に示したシステムの処理動作について説明する。システムにラベル連続紙をセットした後、システムを起動すると、ラベル供給部２０は、先頭のラベルに付加されたＲＦＩＤがエンコード情報読取部３０による読取可能な位置までラベル連続紙を移動させる。一方、エンコード情報読取部３０は、システムを起動すると、電波の発信を開始し、ＲＦＩＤからの応答を待つ状態となる。上述のように、先頭のラベルに付加されたＲＦＩＤがエンコード情報読取部３０による読取可能な位置まで到達すると、ＲＦＩＤからエンコード情報が送信され、エンコード情報読取部３０は、このエンコード情報を取得する。
【００１３】
エンコード情報読取部３０がＲＦＩＤからエンコード情報を取得したら、比較処理部４０が、登録コード記憶部１０に記憶された登録コードを抽出し、エンコード情報読取部３０が取得したエンコード情報と比較を行う。
【００１４】
比較の結果、登録コードとエンコード情報が一致した場合には、比較処理部４０は、正当な印字処理を実行するようラベル供給部２０と印字部５０に指示を行う。具体的には、比較処理部４０は、ラベル供給部２０に対しては、ラベル１つ分だけ連続紙を紙送りする信号を送信し、印字部５０に対しては、ラベル供給部２０がラベル１つ分だけ連続紙を紙送りした後で、ラベル上に所定の情報を印字する信号を送信する。
【００１５】
正当な印字処理を実行するよう比較処理部４０から指示が行われた場合は、ラベル供給部２０はラベル１つ分だけ連続紙を紙送りし、印字部５０はラベル上に所定の情報を印字する処理を行う。
【００１６】
比較の結果、登録コードとエンコード情報が一致しなかった場合には、比較処理部４０は、正当な印字処理を実行しないようラベル供給部２０と印字部５０に指示を行う。具体的には、比較処理部４０は、ラベル供給部２０に対しては、ラベル３つ分だけ連続紙を紙送りする信号を送信し、印字部５０に対しては、何も信号を送信しない。
【００１７】
正当な印字処理を実行しないよう比較処理部４０から指示が行われた場合は、ラベル供給部２０はラベル３つ分だけ連続紙を紙送りし、印字部５０は印字処理を行わない。このため、ＲＦＩＤラベル印字システムからは白紙の状態のラベルが３枚排出されることになる。
【００１８】
上記のように、連続紙に貼付されたＲＦＩＤラベルに記録されたエンコード情報が、ＲＦＩＤラベル印字システム内の登録コード記憶部１０に記憶された登録コードと同一である場合には、正当に印字処理が行われ、連続紙に貼付されたＲＦＩＤラベルに記録されたエンコード情報が、ＲＦＩＤラベル印字システム内の登録コード記憶部１０に記憶された登録コードと同一でない場合には、正当に印字処理が行われない。このため、業者が、その品質が一定以上であると判断したＲＦＩＤラベルにのみ正しいエンコード情報を記録するようにすれば、品質に保証がない用紙は利用できないことになる。
【図面の簡単な説明】
【００１９】
【図１】本発明で用いるラベル連続紙を示す図である。
【図２】本発明に係るＲＦＩＤラベル印字システムの機能ブロック図である。
【符号の説明】
【００２０】
１・・・ＲＦＩＤラベル
２・・・ラベル基体
３・・・粘着剤
４・・・剥離紙
５・・・可視表示部
６・・・ＲＦＩＤタグ
７・・・切り離し部
１０・・・登録コード記憶部
２０・・・ラベル供給部
３０・・・エンコード情報読取部
４０・・・比較処理部
５０・・・印字部
【図１】
2008112365.tif 000003
【図２】
2008112365.tif 000004